(57)【要約】【課題】操作性に優れ衛生的な排液排出を実現する接続構造を提供する。【解決手段】  腹膜透析の排液タンク側の受口３００と、腹腔排液を排液タンクＴへ排出する排液チューブ側の差込口２００と、により構成され、排液タンク側３には、受口３００ないし排液タンクＴに設けた支軸３２１を中心として差込口２００の抜けを防止可能に受口３００の直近上空を回動するストッパ３２２を設け、差込口２００には、受口内径より外径が小であるチューブ部２２１と、チューブ部２２１ないし排液チューブ２０１に凸設し差込口２００の排液タンクＴ内への落ち込みを防ぐクリップ部２２２と、を設け、排液排出の際に、差込口を規制体で止まるまで受口に差し込み、クリップ部２２２の挿入方向後ろ側でストッパ３２２を係止させるようにした接続構造１００。【選択図】図２
2011120713.tif 000002
【特許請求の範囲】
【請求項１】
排液タンク側の受口と、当該受口に差し込んで排液を排液タンクへ排出する排液チューブ側の差込口と、により構成されるドレナージにおける接続構造であって、
差込口には、挿入方向の先端外径が受口内径より小である管体と、管体ないし排液チューブに凸設した規制体と、を設け、
排液タンク側には、受口ないし排液タンクに設けた支点を中心として受口の直近を回動するストッパを設け、
排液排出の際に、差込口を受口に差し込み、規制体の挿入方向後ろ側をストッパで係止させるようにして差込口の抜けを防止可能にしたことを特徴とする接続構造。
【請求項２】
管体ないし排液チューブと規制体とを合わせた長径を受口内径より大としたことを特徴とする請求項１に記載の接続構造。
【請求項３】
受口は管形状であって、支点は当該管の経方向の両側に設け、ストッパは当該支点で軸支されて回動することを特徴とする請求項１または２に記載の接続構造。
【請求項４】
ストッパの先端を、回動の接線方向から管体に嵌るように略Ｕ字状に形成したことを特徴とする請求項１、２または３に記載の接続構造。
【請求項５】
ストッパの回動軸を水平とし、ストッパを受口の上空から回動して管体を上から押さえることを特徴とする請求項１〜４のいずれか一つに記載の接続構造。
【請求項６】
規制体は更に管体先端へ向けて延伸し管体との間でクリップ機構を形成したことを特徴とする請求項１〜５のいずれか一つに記載の接続機構。
【発明の詳細な説明】
【技術分野】
【０００１】
本発明は、ドレナージにおける排液を排液タンクに接続する接続構造に関し、例えば腹膜透析における回路（排液チューブ）を排液タンクに接続する際、操作性に優れ衛生的な回路挿抜を可能とする接続構造に関する。
【背景技術】
【０００２】
ドレナージの必要な、例えば、腹膜透析をする場合には、腹腔に留置したカテーテルを介して老廃物がたまった腹腔排液を排出し、その後新たな薬液を注入する。年齢や腎機能にもよるが少なくとも一日に一回例えば１０リットル〜１５リットルもの排液排出（および薬液注入）の繰り返しが長期的に必要となる。
【０００３】
家庭で腹膜透析する場合でも病院で腹膜透析する場合でも、排液の貯留先は、柔軟なバッグタイプのものか、床などに据え置くことのできるタンクタイプのものであることが多い。
【０００４】
ここで、バッグタイプのものは、家庭で利用する場合には、排液を目にするのを嫌う患者や、直前まで自分の体内にあった排液の溜まった柔軟なバックを持ち運ぶ際に生々しさを感じてしまう患者がおり、心理的に敬遠されるという問題点があった。
【０００５】
また、病院では様々な人工透析患者がいる中で看護師が排液容量を間違え小容量のバッグを接合してしまうようなことがあってはならず、また、バック自体が医療廃棄物であるので、廃棄物を減らしたいという潜在的な要請もある。
【０００６】
排液タンクに排液を排出する場合には上記の問題点は生じないものの、単に排液チューブを排液タンクに差し込んだだけでは、体や物が当たってチューブを引っ張り排液タンクから抜けてしまう場合があり、布団や床を汚してしまうという問題点があった。
【０００７】
これを防止するために、直接排液タンクにもしくは排液タンクから延伸したノズルに排液チューブを接合することも可能である。この場合には、当然ながら排液が漏れてはならないため、密な接合方式を採用する。しかしながら、接合が密である構造ほど、外す際に勢い余ってしずくが飛散しやすく、衛生的でないという問題点があった。
【０００８】
なお、接合を密にする接合構造は、例えば高齢者や手が不自由な患者にとっては扱いにくくなるという問題点もあった。
【先行技術文献】
【特許文献】
【０００９】
【特許文献１】特開２００８−０４３５６２号公報
【発明の概要】
【発明が解決しようとする課題】
【００１０】
以上は腹膜透析を例示したが、これに限らず、ドレナージの際には、簡便かつ衛生的な排液処理が求められる。すなわち、解決しようとする問題点は、操作性に優れ衛生的な排液排出を実現する接続構造を提供する点である。
【課題を解決するための手段】
【００１１】
請求項１に記載の接続構造は、排液タンク側の受口と、当該受口に差し込んで排液を排液タンクへ排出する排液チューブ側の差込口と、により構成されるドレナージにおける接続構造であって、差込口には、挿入方向の先端外径が受口内径より小である管体と、管体ないし排液チューブに凸設した規制体と、を設け、排液タンク側には、受口ないし排液タンクに設けた支点を中心として受口の直近を回動するストッパを設け、排液排出の際に、差込口を受口に差し込み、規制体の挿入方向後ろ側をストッパで係止させるようにして差込口の抜けを防止可能にしたことを特徴とする。
【００１２】
すなわち、請求項１にかかる発明は、ストッパの回動だけで差込口の抜けを規制でき、接続の確実性を高めつて衛生的な排液排出処理を可能とする。加えて、受口と差込口の接合が疎であっても抜けが防止されるので受口を積極的に差込口より大きくすることができ、手が不自由な者にとっても手間取らず簡便な挿入が実現される。また、受口と差込口の径を合わせる必要がないため、それぞれの構成部品の選択自由度も高めることも可能となる。
【００１３】
なお、受口の直近を回動する、とは、受口とストッパとが干渉せず回動できることを意味する。すなわち、ストッパは、鉛直方向の上空から下に向けて回動して差込口の抜けを規制してもよく、下方から上に向けて回動して差込口の抜けを規制してもよく、水平方向に回動して差込口の抜けを規制してもよい。また、受口を螺合着脱可能なノズルとすれば、排液タンクは汎用のポリタンクを採用でき好適である。
【００１４】
請求項２に記載の接続構造は、請求項１に記載の接続構造において、管体ないし排液チューブと規制体とを合わせた長径を受口内径より大としたことを特徴とする。
【００１５】
すなわち、請求項２にかかる発明は、規制体により差込口の落ち込みも規制でき、ストッパの回動だけで受口近傍にて差込口の横ずれおよび挿抜いずれをも規制でき、接続の確実性をより高め、かつ、深差しとならないため差込口が排液に浸ることなくより衛生的な排液排出処理が可能となる。
【００１６】
なお、長径とは、管体と規制体または排液チューブと規制体との最も長い部分をいい、換言すれば、管体または排液チューブの径と規制体の出っ張りの最も高い部分の高さとの合計を示す。
【００１７】
請求項３に記載の接続構造は、請求項１または２に記載の接続構造において、受口は管形状であって、支点は当該管の経方向の両側に設け、ストッパは当該支点で軸支されて回動することを特徴とする。
【００１８】
すなわち、請求項３にかかる発明は、ストッパを管形状部分を取り巻くように例えばコ字状に形成して安定的な回動を実現し、片手操作も可能となる。
【００１９】
請求項４に記載の接続構造は、請求項１、２または３に記載の接続構造において、ストッパの先端を、回動の接線方向から管体に嵌るように略Ｕ字状に形成したことを特徴とする。
【００２０】
すなわち、請求項４にかかる発明は、構成を簡素としながらも接続安定性の高い接続構造を提供可能となる。なお、ストッパを上から回動させて降ろすようにすると、ストッパの重みも加わり接続安定性を更に高めるため好適である。なお、回動の接線方向から管体に嵌るとは、管体の軸に対して垂直な方向からストッパが被さることを意味する。略Ｕ字状とは、Ｖ字状も含み、管体外形におおよそ沿った形状をいう。ストッパは、針金状であって、先端を略Ｕ字状に折り曲げた構成であっても良いし、板状であって、先端を略Ｕ字状に切り欠いた構成でも良い。
【００２１】
請求項５に記載の接続構造は、請求項１〜４のいずれか一つに記載の接続構造において、ストッパの回動軸を水平とし、ストッパを受口の上空から回動して管体を上から押さえることを特徴とする。
【００２２】
すなわち、請求項５にかかる発明は、ストッパの重みを利用して簡便に接続の安定性を図る。また、使用の態様によってはこの重みにより、差込口の前後（挿抜）左右上下の移動を規制可能となる。
【００２３】
請求項６に記載の接続構造は、請求項１〜５のいずれか一つに記載の接続機構において、規制体は更に管体先端へ向けて延伸し管体との間でクリップ機構を形成したことを特徴とする。
【００２４】
すなわち、請求項６にかかる発明は、受口の縁を挟み込み、接続の確実性および安定性をより向上する。管体ないし排液チューブに凸設されて更に管体先端へ向けて延伸するとは、規制体が略Ｌ字状であって差込口の形状が十手様となることを意味する。なお、規制体と管体とは一体的に形成してもよく別体として形成しても良いが、形状もしくは素材により弾性力を確保して縁を挟持可能にするものであるとする。
【発明の効果】
【００２５】
本発明によれば、操作性に優れ衛生的な排液排出を実現する接続構造を提供可能となる。
【図面の簡単な説明】
【００２６】
【図１】本発明の接続構造が採用される腹膜透析の概念図である。
【図２】本発明の接続構造における接続前の模式図である。
【図３】本発明の接続構造における接続後の様子を示した側面図および正面概念図である。
【図４】ストッパの先端形状を示した斜視模式図である。
【図５】ストッパが水平に回動する接続構造の側面図および正面概念図である。
【図６】ストッパの他の構成例を示した説明図である。
【図７】ストッパの他の構成例を示した説明図である。
【発明を実施するための形態】
【００２７】
以下、本発明の実施の形態を図面を参照しながら詳細に説明する。図１は、本発明の接続構造が採用される腹膜透析の概念図である。図２は、本発明の接続構造における接続前の模式図である。図３は、本発明の接続構造における接続後の様子を示した側面図および正面概念図である。なお、正面概念図は側面図より縮尺を大きく描画している。
【００２８】
図１に示したように腹膜透析においては、患者Ｐの腹腔に留置したカテーテルＫに排液チューブ２０１を接続し、本発明の接続構造１００を介して排液タンクＴへ腹腔排液を排出する。なお場合によりカテーテルＫと接続構造１００の間にダイヤフラムポンプを内蔵したカセットを介在させてもよく他の回路や医療機器を介在させてもよい。
【００２９】
接続構造１００は、図２に示したように、排液チューブ側先端の差込口２００と、排液タンク側先端の受口３００とが接続されることにより構成される。差込口２００の主たる構成は、排液チューブ２０１とクリップ付コネクタ２０２であり、排液チューブ２０１の先にクリップ付コネクタ２０２が差し込まれて形成される。また、受口３００の主たる構成はキャップ３０１とノズル３０２であり、汎用の樹脂製タンクである排液タンクＴにキャップ３０１を介してノズル３０２が螺合している。
【００３０】
排液チューブ２０１は可撓性のチューブであり、例えば、軟質ＰＶＣ、エラストマー等の軟質樹脂で形成され、途中で折れて流路が遮断されることなくカテーテルＫから柔軟にとり回され、クリップ付コネクタ２０２の尾部に外側から差し込まれる。長さは使用の態様によるが例えば２ｍとして、患者Ｐが多少動いても緩衝し接続構造１００には引っ張り力が伝わらないようにしている。なお、管の太さも適宜選択できるが、例えば、外径６．５ｍｍ内径４．７ｍｍとすることができる。
【００３１】
クリップ付コネクタ２０２は、例えばポリプロピレンを用いて射出成形等により一体的に形成され、機能的にはチューブ部２２１とクリップ部２２２とから構成される。チューブ部２２１は、ノズル３０２の内径よりその外径が小さい管体基調であり、尾部には排液チューブ２０１の抜けを防止する環状の凹凸２２３が形成され、一度差し込んだ後は通常の負荷では抜けない係合力となっている。なお、チューブ部２２１と排液チューブ２０１の接合に関しては、この他、例えば、凹凸２２３に代えてねじ山とし、これに螺合する凹条を設けた接合管を嵌め、他端から排液チューブを接合管に挿入して接着剤により接合するようにしてもよい。すなわち、チューブ部２２１の尾部と排液チューブ２０１とが突き当たり、この外側に接合管が介在し、チューブ部２２１とは螺合により、排液チューブ２０１とは接着剤により接合するようにしてもよい。
【００３２】
クリップ部２２２は、チューブ部２２１の側周所定位置から径方向に凸設され、中途で曲がりチューブ部２２１先端側にむかってまっすぐ延伸し、先端付近でチューブ部２２１に当接する。すなわち、クリップ機構が形成され、これにより、当接部にノズル３０２の縁が差し込まれると、ノズル３０２を挟み込むこととなり、クリップ付コネクタ２０２の接続安定性ないし保持性が向上する。
【００３３】
クリップ付コネクタ２０２の大きさは使用の態様によるがチューブ部２２１は、長さ５ｃｍ、内径３ｍｍ、外径５ｍｍ、クリップ部２２２の高さ（チューブ部２２１の径方向への出っ張り）は１ｃｍ、径は略４ｍｍとすることができる。
【００３４】
ノズル３０２は、緩やかな曲率をもつ先細りの管である。先端開口部の径は、クリップ付コネクタ２０２のチューブ部２２１の外径が５ｍｍであれば、５ｍｍ以上として密に接合する径でなくても良く、特に太さは限定されない。これにより、ノズルの設計自由度が高まる。例えば、先端径が１ｃｍのものであってもよい。このような、チューブ部２２１より２まわり以上大きなノズル径であれば、手の不自由な者であっても老人であっても、容易な挿入を実現できる。
【００３５】
ノズル３０２の中途にはその側周部両側に軸を共通にして水平に支軸３２１が形成されており、この支軸３２１を支点としてノズル３０２の外側をストッパ３２２が回動するように設けられている。支軸３２１が水平であるので、ストッパ３２２は鉛直上方から弧を描いて下に振り下ろされる。
【００３６】
ストッパ３２２は図４に示したように、針金を折り曲げた形状であって、両支軸３２１から対称に延伸する腕の長さは、支軸３２１からノズル先端までの長さより若干長くする。すなわち、ストッパ３２２は、ノズル先端の直近を上空から弧を描いて下方へ移動可能な長さとしている。
【００３７】
これにより、ストッパ３２２は、クリップ部２２２の凸設位置の後ろからあてがわれる格好となり、クリップ付コネクタ２０２の抜けが防止される。また、クリップ部２２２の凸設位置前側はノズル先端に当たるので、クリップ付コネクタ２０２の排液タンクＴ内への落ち込みが防止される。
【００３８】
ストッパ３２２の先端は、図３および図４に示したようにＵ字（谷が緩やかなＶ字）に形成されている。このＵ字部分によりチューブ部２２１が上から押さえつけられるとともに左右への動きが規制される。なお、クリップ部２２２がノズル３０２の縁を挟むので、チューブ部２２１の上下の動きも規制される。
【００３９】
すなわち、クリップ部２２２とストッパ３２２により、クリップ付コネクタ２０２は、前後左右上下の３軸方向いずれの移動も規制され、安定的な固定が実現される。換言すれば、排液チューブ２０１を深く排液タンクＴに挿入しなくとも、抜けやガタツキのない接続を実現する。ストッパ３２２の素材も特に限定されないが、例えば、直径２．５ｍｍのステンレス針金を用いることができる。なお、ストッパ３２２にある程度の重量をもたせると、重みだけで差込口２００の排液タンクＴ内への落ち込みが防止される。
【００４０】
次に、本発明の接続構造１００を含めた、排液チューブ２０１および排液タンクＴの使用方法について説明する。患者Ｐは、クリップ付コネクタ２０２が接続された排液チューブ２０１の他端をカテーテルＫに接続する。なお、当該他端は適宜専用コネクタにより接続直前まで衛生的に保護されているものとする。
【００４１】
次に、患者Ｐは、クリップ付コネクタ２０２を排液タンクＴのノズル３０２の縁上部に挟み突き当たるまで差し込む。つづいて、ストッパ３２２を回動させ、クリップ部２２２の後ろ側から被せるようにして固定する。この挿入および回動は片手でもでき、かつ、ノズル３０２とチューブ部２２１の径は大きな隙間ができる程度に異なっているので、挿入自体も円滑にでき操作性に優れる。
【００４２】
次に所定操作により腹腔排液の排出を開始する。このとき、クリップ付コネクタ２０２はノズル３０２で固定されるため、深く差し込む必要がなく、差込口２００が排液に浸からず衛生的な接続が確立される。
【００４３】
排液が出きったらストッパ３２２を上に上げ、クリップ付コネクタ２０２を引き抜く。排液タンクＴに浸らないので、しずくが垂れるようなことなく手も汚さず接続解除できる。その後新たな薬液を定法により腹腔内へ注入する。排液タンクＴに溜まった排液は毎回廃棄しても良いし、所定容量まで貯めることもできるので、数回に一度廃棄するようにしても良い。なお、その後このクリップ付コネクタ２０２および排液チューブ２０１は適宜廃棄する。
【００４４】
なお、使用方法はこれに限定されず、例えば、接続構造１００を確立してから排液チューブ２０１他端をカテーテルＫに接合することもできる。
【００４５】
本発明は、この他種々の態様を採用することができる。例えば、ストッパを水平に回動させても良い。図５は、ストッパが水平に回動する接続構造の側面図および正面概念図である。また、ストッパは、板体としても良く、先端部分をＵ字状に切り欠いても良い。図６は、板体によるストッパ３２２の構成例を示した図である。板体とすることにより、重さが増し、チューブ部２２１を上から押さえる力が強まる。また、図７に示したように、チューブ部２２１を挟持するようにチューブ部２２１の径より狭めたΩ字状の切り欠き板体としてもよい。これにより、ストッパの保持能力がより高まる。また、この形状であれば、ストッパを下から鉛直上方向に回動させて差込口２００を規制することも可能となる。
【００４６】
この他、ストッパの支軸はノズルでなく、排液タンクに設けてもよい。また、使用の態様により排液チューブにクリップ部を設けるようにしても良い。
【産業上の利用可能性】
【００４７】
本発明は、腹腔排液の接続だけでなく医療用チューブの接続構造として適している場面で適宜採用することができる。
【符号の説明】
【００４８】
１００  接続構造
２００  差込口
２０１  排液チューブ
２０２  クリップ付コネクタ
２２１  チューブ部
２２２  クリップ部
２２３  凹凸
３００  受口
３０１  キャップ
３０２  ノズル
３２１  支軸
３２２  ストッパ
Ｋ        カテーテル
Ｐ        患者
Ｔ        排液タンク
【図１】
2011120713.tif 000003
【図２】
2011120713.tif 000004
【図３】
2011120713.tif 000005
【図４】
2011120713.tif 000006
【図５】
2011120713.tif 000007
【図６】
2011120713.tif 000008
【図７】
2011120713.tif 000009